(57)【要約】      （修正有）【課題】ガススプリング効果を排除することができ、測定結果が比較的正確である酵素結合免疫吸着測定法に用いる固相担体およびキットを提供する。【解決手段】カップ本体１、カップ蓋２、及びインキュベーションカップ５から構成されるハウジングと、当該ハウジング内に上から下へ順に配置されたセルロース膜３とパッド４とを含み、ハウジングの上部に少なくとも１つの等圧孔１１が貫通して開設され、当該等圧孔がセルロース膜の位置より低くない。等圧孔は前記カップ本体のカップ口に近い位置に設けられている。【選択図】図１
0003225987.tif 000002
【実用新案登録請求の範囲】
【請求項１】
ハウジングと、当該ハウジング内に上から下へ順に配置されたセルロース膜とパッドとを含み、前記ハウジングの上部に少なくとも１つの等圧孔が貫通して開設され、当該等圧孔が前記セルロース膜の位置より低くないことを特徴とする酵素結合免疫吸着測定法に用いる固相担体。
【請求項２】
前記ハウジングはカップ状のカップ本体を含み、前記等圧孔は前記カップ本体のカップ口に近い位置に設けられていることを特徴とする請求項１に記載の酵素結合免疫吸着測定法に用いる固相担体。
【請求項３】
前記カップ本体の内壁には、前記パッドを収縮させるためのリブが設けられていることを特徴とする請求項２に記載の酵素結合免疫吸着測定法に用いる固相担体。
【請求項４】
前記リブが環状であることを特徴とする請求項３に記載の酵素結合免疫吸着測定法に用いる固相担体。
【請求項５】
前記ハウジングは、前記カップ本体のカップ口に設けられたカップ蓋をさらに含み、当該カップ蓋は、漏斗形状を呈し、液体を誘導するための螺旋曲面である上面を有していることを特徴とする請求項２に記載の酵素結合免疫吸着測定法に用いる固相担体。
【請求項６】
前記カップ蓋には、前記カップ本体のカップ壁と係合するための一回りの係止溝が設けられていることを特徴とする請求項５に記載の酵素結合免疫吸着測定法に用いる固相担体。
【請求項７】
前記カップ本体および／または前記カップ蓋の、前記カップ本体の中心線に垂直な断面は、矩形または丸みを帯びた矩形であることを特徴とする請求項６に記載の酵素結合免疫吸着測定法に用いる固相担体。
【請求項８】
前記ハウジングは、前記カップ本体の片側に連結されたインキュベーションカップをさらに含み、前記カップ本体と前記インキュベーションカップとが一体成形されていることを特徴とする請求項２に記載の酵素結合免疫吸着測定法に用いる固相担体。
【請求項９】
前記カップ本体および／または前記インキュベーションカップの外壁には、装填時に位置決めするための少なくとも１つの溝が設けられていることを特徴とする請求項８に記載の酵素結合免疫吸着測定法に用いる固相担体。
【請求項１０】
前記カップ本体の底壁には、小孔が貫通して開設されていることを特徴とする請求項２に記載の酵素結合免疫吸着測定法に用いる固相担体。
【請求項１１】
前記カップ本体の底部には、前記カップ本体の内部に向かっての延びる突起が設けられていることを特徴とする請求項２に記載の酵素結合免疫吸着測定法に用いる固相担体。
【請求項１２】
請求項１〜１１のいずれか１項に記載の酵素結合免疫吸着測定法に用いる固相担体を含むことを特徴とする酵素結合免疫吸着測定法に用いるキット。
【考案の詳細な説明】
【技術分野】
【０００１】
本考案は免疫測定技術分野に関し、特に酵素結合免疫吸着測定法に用いる負圧のない固相担体およびキットに関する。
【背景技術】
【０００２】
ＥＬＩＳＡ（酵素結合免疫吸着測定法）を基本原理とした免疫測定技術において、サンプルカップのカップ壁を固相として利用するのみでは、高感度測定のニーズを満たすことができなくなっている。より大きい固相表面積を得るために、多孔性セルロース膜が多くのキットの固相材料として使用されてきた。
【０００３】
測定自動化では、固相材料としたセルロース膜を装置にセットした後、装置での添加、吸引、輸送などの様々な操作要件に適応できるように、セルロース膜を固定するためのハウジングが必要である。セルロース膜を負荷した後のセルロース膜を通る液体流速が均一であることを保証するために、セルロース膜の背面には、パッドとして吸水材料を有することが一般的である。セルロース膜、ハウジングおよびパッドは、様々なタイプの固相担体を形成する。従来、固相担体のハウジングをカップ状に設計し、医療廃棄物としたときの取り扱いの簡便性を向上させることが行われている。
【考案の概要】
【考案が解決しようとする課題】
【０００４】
しかしながら、従来技術では、少なくとも以下の問題があった。
【０００５】
ハウジングには吸水パッドの下方にのみ等圧孔があるため、吸入された液体が一定量に達すると、ハウジングの内部が大気と遮断され、後から入ってくる液体がガススプリング効果によって溜まり、測定結果の精度に影響を与える。特に、細長い固相担体では、ガススプリング効果がより顕著である。
【課題を解決するための手段】
【０００６】
上記問題に対して、本考案は、ガススプリング効果を排除でき、測定結果が比較的正確である酵素結合免疫吸着測定法に用いる固相担体およびキットを提供することを目的とする。
【０００７】
上記目的を達成するため、本考案は、以下の手段を採用する。
【０００８】
酵素結合免疫吸着測定法に用いる固相担体であって、ハウジングと、当該ハウジング内に上から下へ順に配置されたセルロース膜とパッドとを含み、前記ハウジングの上部に少なくとも１つの等圧孔が貫通して開設され、当該等圧孔が前記セルロース膜の位置より低くない。即ち、等圧孔はセルロース膜の上方に位置するか、或いはセルロース膜と同高さに位置する。等圧孔は、セルロース膜の上方に位置することが好ましい。
【０００９】
好ましくは、前記ハウジングはカップ状のカップ本体を含み、前記等圧孔は前記カップ本体のカップ口に近い位置に設けられている。
【００１０】
より好ましくは、前記カップ本体の内壁には、前記パッドを収縮させるためのリブが設けられている。
【００１１】
さらに、前記リブが環状である。
【００１２】
好ましくは、前記ハウジングは、前記カップ本体のカップ口に設けられたカップ蓋をさらに含み、当該カップ蓋は、漏斗形状を呈し、液体を誘導するための螺旋曲面である上面を有している。
【００１３】
より好ましくは、前記カップ蓋には、前記カップ本体のカップ壁と係合するための一回りの係止溝が設けられている。
【００１４】
さらに、前記カップ本体および／または前記カップ蓋の、前記カップ本体の中心線に垂直な断面は、矩形または丸みを帯びた矩形である。
【００１５】
好ましくは、前記ハウジングは、前記カップ本体の片側に連結されたインキュベーションカップをさらに含み、前記カップ本体と前記インキュベーションカップとが一体成形されている。
【００１６】
より好ましくは、前記カップ本体および／または前記インキュベーションカップの外壁には、装填時に位置決めするための少なくとも１つの溝が設けられている。
【００１７】
本考案はまた、以下の手段を採用する。
【００１８】
酵素結合免疫吸着測定法に用いるキットであって、前記酵素結合免疫吸着測定法に用いる固相担体を含む。
【００１９】
本考案は、上記手段を採用し、従来技術と比較して以下の利点を有する。
【００２０】
１、ハウジングに等圧孔を開け、かつ等圧孔がセルロース膜より低くなく、液体注入時に発生するガススプリング効果を排除し、測定全工程において液体添加時の流入速度の均一性を確保し、特に細長い固相担体に対して、より精確な測定結果が得られる。
【００２１】
２、カップ本体の内壁にリブを配置し、パッドをリブで収縮させ、収縮口を形成し、液体の逆流を防ぎ、測定値の精度を向上させる。
【００２２】
３、カップ蓋の上面は、螺旋曲面であり、セルロース膜表面に向かう液体を誘導する機能を有し、セルロース膜に向かう液体の流速を一定にし、液体とセルロース膜表面は比較的良好な親和性を有する。
【００２３】
４、カップ蓋の係止溝が一回り配置され、四方に溝があり、方向性がなく、カップ蓋とカップ本体との組み立てが容易である。
【００２４】
５、本来別に装填する必要がある固相担体とインキュベーションカップの両方を一体化し、工程を簡素化して自動化の度合いを向上させる。カップ本体とインキュベーションカップの外壁に位置決すめための溝を設け、装填に便利である。
【００２５】
本考案をより明確に説明するため、実施形態の説明に用いる図面を以下のように簡単に説明するが、以下の図面は本考案の一部の実施形態にすぎないことが明らかである。当業者であれば、創造性付けの労働をしない前提で、これらの図面に基づいてその他の図面を得ることができる。
【図面の簡単な説明】
【００２６】
【図１】本考案の固相担体の内部構造を示す断面図である。
【図２】本考案の固相担体の側面図である。
【図３】本考案の固相担体の平面図である。
【図４】本考案の固相担体の底面図である。
【考案を実施するための形態】
【００２７】
以下、本考案の利点および特徴を当業者が理解しやすいように、図面を参照しながら、本考案の好ましい実施形態を詳細に説明する。なお、これらの実施形態の説明は、本考案の理解を助けるためのものであり、本考案を限定するものではない。なお、以下に説明する本考案の各実施形態に係る特徴は、互いに矛盾しない限り、互いに組み合わせることが可能である。
【００２８】
本考案で言及される上、下などの用語は、当業者の通常の観察角度及び説明の便宜のために定義されたものであり、特定の方向を限定するものではない。例えば、図１における紙面の上側、下側にそれぞれ対応する。
【００２９】
図１〜４は、酵素結合免疫吸着測定法に用いる固相担体を示している。このような固相担体は、酵素結合免疫吸着測定法に用いるキットの構成の一部であり、酵素結合免疫吸着測定法に用いるキットに適用することができる。
【００３０】
図１〜４を参照すると、固相担体は、ハウジングと、ハウジング内に上から下へ順に配置されたセルロース膜３とパッド４（一般的に吸水材料からなる）を含み、ハウジングの上部に少なくとも１つの等圧孔１１が貫通して開設され、等圧孔１１は、セルロース膜３より低くなく、好ましくはセルロース膜３の上方に位置している。具体的には、本実施形態では、ハウジングは、カップ本体１、カップ蓋２、およびインキュベーションカップ５の３つの部分から構成され、以下にそれぞれを詳細に説明する。
【００３１】
カップ本体１は、カップ状である。等圧孔１１は、カップ本体１のカップ口に近い位置に設けられているが、カップ蓋２に設けられていてもよい。等圧孔１１は、少なくとも１つであり、具体的には、カップ本体１のインキュベーションカップ５とは反対側の側壁に設けられている。本実施形態では、図１に示すように、カップ蓋２をカップ本体１に完全に装着した後、等圧孔１１はセルロース膜３の上方に位置する。等圧孔１１は、カップ本体１内の空気の流出を可能にし、液体注入時に発生するガススプリング効果を排除し、測定全工程において液体注入時の流入速度の均一性を確保し、特に細長い固相担体に対して、より精確な測定結果が得られる。
【００３２】
カップ本体１の内壁には、パッド４を収縮させるためのリブ１２が設けられている。リブ１２は、カップ本体１の縦方向中心線の周りに一回りの閉鎖環状であることが好ましい。リブ１２は、カップ本体１のカップ口に近接し、かつ等圧孔１１の下方に位置することが好ましい。毛管張力作用と弁原理により、カップ本体１の内壁にリブ１２を配置し、吸水パッド４を嵌め込むと、形成されたカフはカップ本体１内のパッド４に吸い込まれた液体の逆流を抑制でき、セルロース膜３の膜面が液体を通過した後、正常な湿潤状態にあることを保証し、測定値の精確性を向上させる。これにより、従来の固相担体の吸液パッド４が飽和に近づいた後に逆行してセルロース膜３の膜面に液残りが発生し、測定結果に誤りが生じることを回避することができる。
【００３３】
液体の流れをスムーズにし、カップ本体１内の空気を上下に流通させるために、カップ本体１の底壁には小孔１３が貫通して開設されている。
【００３４】
パッド４をより良好に固定するため、カップ本体１の底部には、カップ本体１の内部に向かって延びる突起１４が設けられている。突起１４は、カップ本体１の底部の中間位置に配置されることが好ましい。
【００３５】
カップ本体１は、その縦方向中心線に垂直な断面が矩形または丸みを帯びた矩形、即ち、略直方体状または丸みを帯びた直方体状を呈している。これにより、パッド４が水を吸収した後に膨張できる空間をカップ本体１内に有することを可能にし、ガススプリング効果は比較的小さい。これに対応して、カップ蓋２の、カップ本体１の縦方向中心線に垂直な断面は、矩形または丸みを帯びた矩形である。
【００３６】
カップ蓋２は、カップ本体１のカップ口に設けられている。カップ蓋２は、漏斗形状を呈しており、図３に示すように、液体を誘導するための上面を有している。上面は、螺旋曲面２１である。螺旋曲面２１は、従来の斜面に比べて、セルロース膜３の表面に向かう液体を誘導できるため、セルロース膜３に向かう液体の流速を一定にすることができ、液体とセルロース膜３の表面との親和性が良い。
【００３７】
カップ蓋２は、セルロース膜３とパッド４の上方に位置しており、セルロース膜３とパッド４とを密着させるように固定している。カップ蓋２は、試薬を一定量収容することができ、全ての試薬が中央ゾーンを通過することを確保する。
【００３８】
カップ蓋２には、カップ本体１のカップ壁と係合するための一回りの係止溝２２が設けられており、係止溝２２は、一回り配置され、四方に溝があり、方向性がなく、カップ蓋２とカップ本体１との組み立てに便利である。
【００３９】
インキュベーションカップ５は、カップ本体１の片側に連結されており、カップ本体１とインキュベーションカップ５とが一体成形されている。インキュベーションカップ５および等圧孔１１は、それぞれ、カップ本体１の対向する両側に配置されている。本来別に装填する必要がある固相担体とインキュベーションカップ５の両方を一体化し、工程を簡素化して自動化の度合いを向上させる。また、測定中にカップ本体１内とインキュベーションカップ５内部との温度差が測定に誤差を与えることも回避することができる。
【００４０】
カップ本体１および／またはインキュベーションカップ５の外壁には、装填時に位置決めするための少なくとも１つの溝５１が設けられている。溝５１は、対になって配置され、それぞれカップ本体１とインキュベーションカップ５との接続部に位置することが好ましい。カップ本体１とインキュベーションカップ５の外壁には、位置決めするための溝５１が開設されており、装填に便利である。
【００４１】
上述した実施形態は、本考案の技術的思想および特徴を説明するためのものであり、好ましい実施形態であり、当業者が本考案の内容を理解して実施できることを目的とし、本考案の保護範囲を限定することはできない。本考案の精神に基づく均等な変更または改変は、本考案の範囲内に含まれることが意図される。
【符号の説明】
【００４２】
１…カップ本体、１１…等圧孔、１２…リブ、１３…小孔、１４…突起、２…カップ蓋、２１…螺旋曲面、２２…係止溝、３…セルロース膜、４…パッド、５…インキュベーションカップ、５１…溝
【図１】
0003225987.tif 000003
【図２】
0003225987.tif 000004
【図３】
0003225987.tif 000005
【図４】
0003225987.tif 000006